【手続補正書】
【提出日】平成19年1月29日(2007.1.29)
【手続補正１】
【補正対象書類名】明細書
【補正対象項目名】特許請求の範囲
【補正方法】変更
【補正の内容】
【特許請求の範囲】
【請求項１】  海産油を精製するプロセスであって、該プロセスは、以下：
減圧下で、該油を有効量のシリカと接触させる工程；
該油を有効量の漂白用粘土と接触させる工程；
該シリカを該油から分離する工程；
該油から該粘土を分離する工程、
を包含する、プロセス。
【請求項２】  前記プロセスが、外部から添加されるアルカリまたは酸を使用することなく実施される、請求項１に記載のプロセス。
【請求項３】  請求項１に記載のプロセスであって、該プロセスは、以下：
減圧下で、前記油を有効量のシリカと接触させる工程；
該油を有効量の漂白用粘土と接触させる工程；
該シリカを該油から分離する工程；
該油から該粘土を分離する工程、
からなる、プロセス。
【請求項４】  前記油を、前記漂白用粘土と接触させる前に、該油を、前記シリカと接触させる、請求項１〜３のいずれか１項に記載のプロセス。
【請求項５】  前記漂白用粘土が、減圧下にある、請求項１〜４のいずれか１項に記載のプロセス。
【請求項６】  前記シリカが、シリカゲルを含む、請求項１〜５のいずれか１項に記載のプロセス。
【請求項７】  前記油が、海洋哺乳動物の脂肪組織から得られる、請求項１〜６のいずれか１項に記載のプロセス。
【請求項８】  前記海洋哺乳動物が、アザラシである、請求項７に記載のプロセス。
【請求項９】  前記アザラシが、タテゴトアザラシ、フイリアザラシ、ワモンアザラシ、ズキンアザラシおよびハイイロアザラシからなる群から選択される、請求項８に記載のプロセス。
【請求項１０】  前記油が、魚類の脂肪組織から得られる、請求項１〜６のいずれか１項に記載のプロセス。
【請求項１１】  前記魚類が、サケおよびサバからなる群から選択される、請求項１０に記載のプロセス。
【請求項１２】  前記シリカおよび粘土が、濾過および／または遠心分離によって前記油から分離される、請求項１〜１１のいずれか１項に記載のプロセス。
【請求項１３】  前記有効量のシリカゲルが、油の約０．０１重量％〜３重量％である、請求項６〜１２のいずれか１項に記載のプロセス。
【請求項１４】  前記シリカゲルが、ＴｒｉＳｙｌ  Ｓ  ６２７またはＳｏｒｂｓｉｌシリカである、請求項６〜１３のいずれか１項に記載のプロセス。
【請求項１５】  前記油を、約１〜６０分間、前記シリカと接触させる、請求項１〜１４のいずれか１項に記載のプロセス。
【請求項１６】  前記有効量の漂白用粘土が、油の約０．１重量％〜３重量％である、請求項１〜１５のいずれか１項に記載のプロセス。
【請求項１７】  前記粘土が、Ｔｏｎｓｉｌ  Ｓｕｐｒｅｍｅ  １２０  ＦＦ、Ｆｉｌｔｒｏｌ粘土またはＰｕｒ−Ｆｌｏ粘土を含む、請求項１〜１６のいずれか１項に記載のプロセス。
【請求項１８】  前記油を、前記漂白用粘土と接触させた後に、該油を、約７５℃〜１１０℃まで加熱させる、請求項１〜１７のいずれか１項に記載のプロセス。
【請求項１９】  前記油を、約５〜３０分間、前記漂白用粘土と接触させる、請求項１〜１８のいずれか１項に記載のプロセス。
【請求項２０】  前記油を脱臭する工程を包含する、請求項１〜１９のいずれか１項に記載のプロセス。
【請求項２１】  脱臭を、約１５０℃〜２４５℃の温度範囲で実施する、請求項２０に記載のプロセス。
【請求項２２】  脱臭を、約０．１ｍｍＨｇ〜７ｍｍＨｇの圧力で実施する、請求項２０または請求項２１に記載のプロセス
【請求項２３】  前記油を、約０．５分〜１０分の間、前記温度および圧力に曝す、請求項２２に記載のプロセス。
【請求項２４】  油の収縮が、粗製油の重量に基づいて約１．５％＋１．５×該油中のＦＦＡ％未満である、請求項１〜２３のいずれか１項に記載のプロセス。
【請求項２５】  請求項１〜２４のいずれか１項に記載のプロセスであって、前記精製された油は、本質的に、タンパク質物質、ホスファチド物質および粘滑性物質、微量金属を含有せず、そして非常に色が薄い、プロセス。
【請求項２６】  請求項１〜２５のいずれか１項に記載のプロセスであって、前記精製された油が、該油が脱臭される場合に０．２５％未満の遊離脂肪酸含量、該油が脱臭されない場合に２％未満の遊離脂肪酸含量、約１．５ｍｅ／ｋｇ未満の過酸化物価、５未満のアニシジン価、０．１ｍｇ／ｋｇ未満の鉄、および 穏やかなフレーバー、を含む、プロセス。
【請求項２７】  前記精製された油が、約０．０５ｍｇ／ｋｇ未満の銅、約０．２ｍｇ／ｋｇ未満のリンを含み、そして本質的に、農薬を含まない、請求項１〜２６のいずれか１項に記載のプロセス。
【請求項２８】  ω−３脂肪酸の濃度が、前記粗製油から、実質的に変化していない、請求項１〜２７のいずれか１項に記載のプロセス。
【請求項２９】  前記ω−３脂肪酸の濃度が、前記粗製油から１％未満の絶対値だけ変化する、請求項２８に記載のプロセス。
【請求項３０】  請求項１〜２９のいずれか１項に記載のプロセスであって、前記油が、該油が周囲温度で保存され、そして有害な光照射および空気から実質的に保護される場合に、少なくとも約２ヶ月の間、強いフレーバー展開が発生しない感覚受容性試験によって測定されるフレーバー安定性を有する、プロセ ス。
【請求項３１】  請求項１〜３０のいずれか１項に記載のプロセスによって、調製される、精製された海洋哺乳動物の油またはアザラシの油。
【請求項３２】  本願に記載されるプロセスに従って得られる、精製された海洋哺乳動物の油または魚類の油。
【請求項３３】  脱臭後に約０．２５％未満の遊離脂肪酸含量、そして前記油を脱臭しない場合に２％未満の遊離脂肪酸含量を含む、精製された油。
【請求項３４】  約１．６ｍｅ／ｋｇ未満の過酸化物価を含む、精製された油。
【請求項３５】  約５未満のアニシジン価を含む、精製された油。
【請求項３６】  請求項３１〜３５のいずれか１項に記載の精製された油であって、該精製された油は、アザラシの油であって、そして脱臭後に０．２５％未満の遊離脂肪酸含量、そして該油を脱臭しない場合に２％未満の遊離脂肪酸含量、約１．５ｍｅ／ｋｇ未満の過酸化物価、５未満のアニシジン価、０． １ｍｇ／ｋｇ未満の鉄濃度、および穏やかなフレーバー、を含む、油。
【請求項３７】  請求項３１〜３６のいずれか１項に記載の精製された油であって、該精製された油が、約０．０５ｍｇ／ｋｇ未満の銅、約０．２ｍｇ／ｋｇ未満のリン、そして本質的に、クロマトグラフィーによって検出不可能な農薬を含む、油。
【請求項３８】  ω−３脂肪酸の濃度が、前記粗製油から、実質的に変化していない、請求項３１〜３７のいずれか１項に記載の精製された油。
【請求項３９】  請求項３１〜３８のいずれか１項に記載の精製された油であって、前記油が、該油が周囲温度で保存され、そして有害な光照射および空気から実質的に保護される場合に、少なくとも約２ヶ月の間、強いフレーバー展開が発生しない感覚受容性試験によって測定されるフレーバー安定性を有する、 油。
【請求項４０】  前記油が、海洋哺乳動物の油を含む、請求項３１〜３９のいずれか１項に記載の精製された油。
【請求項４１】  前記海洋哺乳動物の油が、アザラシの油を含む、請求項４０に記載の精製された油。
【請求項４２】  前記アザラシの油が、タテゴトアザラシ、フイリアザラシ、ズキンアザラシ、ハイイロアザラシおよびワモンアザラシからなる群から選択される、請求項４１に記載の精製された油。
【請求項４３】  前記油が、魚類の油を含む、請求項３１〜３９のいずれか１項に記載の精製された油。
【請求項４４】  前記魚類の油が、サケおよびサバからなる群から選択される、請求項４３に記載の精製された油。
【請求項４５】  請求項３１〜４４のいずれか１項に記載の精製された油のω−３脂肪酸を含み、約８０％または９０％まで濃縮される、ω−３脂肪酸濃縮物。
【請求項４６】  ω−３脂肪酸濃縮物を調製するためのプロセスであって、該プロセスは、請求項３１〜４４のいずれか１項に記載の精製された油中のω−３脂肪酸を、約８０％または９０％まで濃縮する工程を包含する、プロセス。
【請求項４７】  請求項３１〜４５のいずれか１項に記載の油から単離された、ω−３脂肪酸。
【請求項４８】  請求項３１〜４５のいずれか１項に記載の精製された油、または請求項４７に記載のω−３脂肪酸、およびキャリアを含む、薬学的組成物。
【請求項４９】  請求項４８に記載の薬学的組成物、ならびに該組成物を、経口、経鼻、肺、直腸、眼、経皮または非経口投与に適用するためのキャリアおよび／または希釈剤、必要に応じて１以上の生物活性化合物との組み合わせ。
【請求項５０】  前記生物活性分子が、少なくとも１つの補酵素Ｑ１０および抗酸化剤からなる群から選択される、請求項４９に記載の薬学的組成物。
【請求項５１】  請求項３１〜４５のいずれか１項に記載の油、または請求項４７に記載のω−３脂肪酸を含む、栄養剤。
【請求項５２】  請求項３１〜４５のいずれか１項に記載の油または請求項４７に記載のω−３脂肪酸、および補酵素Ｑ１０または抗酸化物を含む、栄養剤。
【請求項５３】  請求項３１〜４５のいずれか１項に記載の油、または請求項４７に記載のω−３脂肪酸を含む、カプセル。
【請求項５４】  前記カプセルが、ゼラチンカプセルを含む、請求項５３に記載のカプセル。
【請求項５５】  請求項３１〜４５のいずれか１項に記載の油、または請求項４７に記載のω−３脂肪酸を含む、食品。
【請求項５６】  前記食品が、乳製品、サラダドレッシングおよび穀物製品からなる群から選択される、請求項５５に記載の食品。
【請求項５７】  請求項５６に記載の食品であって、前記乳製品が、スキムミルク、全乳、１％のミルク、２％のミルク、サワークリーム、コーヒークリーム、ホイップクリーム、粉ミルク、ヨーグルトおよびアイスクリームからなる群から選択される、食品。
【請求項５８】  前記穀物製品が、パンおよび焼いた食品からなる群から選択される、請求項５６に記載の食品。
【請求項５９】  請求項３１〜４５のいずれか１項に記載の油、または請求項４５に記載のω−３脂肪酸を含む、動物、鳥類または魚類の餌。
【請求項６０】  前記動物、鳥類または魚類の肉または卵を含む、食品であって、ここで、該動物は、請求項３１〜４５のいずれか１項に記載の油、請求項４７に記載のω−３脂肪酸または請求項５９に記載の餌を該動物に与えることによって飼育される、食品。
【請求項６１】  疾患、状態、障害または異常な身体状態の医療、治療または予防のための組成物であって、請求項３１〜４５、４７〜５８または６０のいずれか１項に記載の有効量の油、薬学的組成物、栄養剤、カプセルまたは食品を含む、組成物。
【請求項６２】  請求項６１に記載の組成物であって、前記疾患、障害または異常な身体状態が、不適切な食事性ω−３脂肪酸、必須の脂肪酸の不均衡、ＥＰＡ、ＤＨＡ、ＤＰＡ、１８：３  ω−３脂肪酸および１８：４  ω−３脂肪酸を含む１以上の必須の脂肪酸の欠損からなる群から選択される１以上の特性を含む、組成物。
【請求項６３】  請求項６２に記載の組成物であって、前記疾患が、心臓病、糖尿病、高トリグリセリド血症、高血圧、関節炎、乾癬、発作、炎症、免疫系障害および神経系疾患からなる群から選択される、組成物。
【請求項６４】  心臓血管疾患、障害または異常な身体状態に対する危険因子の医療または予防ののための組成物であって、請求項３１〜４５、４７〜５８または６０のいずれか１項に記載の有効量の油、薬学的組成物、栄養剤、カプセルまたは食品を含む、組成物。
【請求項６５】  患者の正常な脳、免疫系および心臓の発達を促進するための組成物であって、請求項３１〜４５、４７〜５８または６０のいずれか１項に記載の有効量の油、薬学的組成物、栄養剤、カプセルまたは食品を含む、組成物。
【請求項６６】  胎児、乳児または子供における、疾患、障害または異常な身体状態の予防のための組成物であって、請求項３１〜４５、４７〜５８または６０のいずれか１項に記載の有効量の油、薬学的組成物、栄養剤、カプセルまたは食品を含む、組成物。
【請求項６７】  請求項６１〜６６のいずれか１項に記載の組成物であって、前記投与された油が、ＥＰＡ、ＤＨＡ、ＤＰＡ、１８：３  ω−３長鎖脂肪酸および１８：４  ω−３長鎖脂肪酸からなる群から選択されるω−３脂肪酸を含む、組成物。
【請求項６８】  請求項６１〜６６のいずれか１項に記載の組成物であって、前記投与される油の量が、１日当たり約１．８〜２．５ｇ以上のω−３必須脂肪酸を与えるのに適切である、組成物。
【請求項６９】  請求項６１〜６６のいずれか１項に記載の組成物であって、タテゴトアザラシの油の量が、約２０重量％〜２４重量％の範囲のω−３必須脂肪酸を含み、そして投与される油の量が、約１０ｇ／日までである、組成物。
【請求項７０】  請求項６１〜６６のいずれか１項に記載の組成物であって、タテゴトアザラシの油の量が、約２０重量％〜２４重量％の範囲のω−３必須脂肪酸を含み、そして投与される油の量が、約１０ｇ／日未満またはそれを超える、組成物。
【請求項７１】  表１、表２、表３に記載のアザラシの油の特性に近い特性を有する、精製されたアザラシの油、および／または表４に記載の本発明の該アザラシの油。
【請求項７２】  前記油が、粗製油または基礎油を含む、請求項１〜３０のいずれか１項に記載のプロセス。
【請求項７３】  哺乳動物の疾患の処置のための医薬の調製のための、請求項３１〜４５のいずれか１項に記載の油、または請求項４７に記載のω−３脂肪酸の使用。
【請求項７４】  活性な薬学的物質としての使用のための、請求項３１〜４５のいずれか１項に記載の油、または請求項４７に記載のω−３脂肪酸。